(57)【要約】      （修正有）【課題】第一板体と第二板体を共同でフェース板を組成し、第一板体と第二板体との間に弾性変形空間を形成し、そして選択的に第一板体と第二板体に複数個の結合突出部を形成することにより、フェース板の振動吸収の能力と構造の強度を高める。【解決手段】第一板体２１の両側にフェース２１１と第一結合面２１２が形成され、第二板体２２の両側に第二結合面２２１と背面２２２が形成される。弾性変形空間２３は第一結合面２１２と第二結合面２２１との間に形成される。第二板体２２の第二結合面２２１は第一板体２１の第一結合面２１２に対応するように結合することによって共同でフェース板２を形成し、フェース板２とヘッド本体1は結合してゴルフクラブヘッドを形成する。打球時においてフェース板２は弾性変形空間２３により弾性変形を生じる。【選択図】図１Ａ
0003127220.tif 000002
【実用新案登録請求の範囲】
【請求項１】
ヘッド本体（１）、第一板体（２１）、第二板体（２２）および少なくとも一個の弾性変形空間（２３）が含まれる複合式のフェース板を有するゴルフクラブヘッドであって、第一板体（２１）の一方にはフェース（２１１）が形成され、そして第一板体（２１）のもう一方には第一結合面（２１２）が形成され、フェース（２１１）はゴルフボールを打球するのに用いられ、第二板体（２２）の一方には第二結合面（２２１）が形成され、第二板体（２２）のもう一方には背面（２２２）が形成され、第二板体（２２）の第二結合面（２２１）は第一板体（２１）の第一結合面（２１２）に対応するように結合することによって共同でフェース板（２）を形成し、少なくとも一個の弾性変形空間（２３）は第一板体（２１）の第一結合面（２１２）と第二板体（２２）の第二結合面（２２１）との間に形成され、フェース板（２）はヘッド本体（１）に対応するように結合され、そして打球時において弾性変形空間（２３）により弾性変形を生じることができることを特徴とする複合式のフェース板を有するゴルフクラブヘッド。
【請求項２】
第一板体（２１）は高い弾性変形の能力を有する板体からなることを特徴とする請求項１記載の複合式のフェース板を有するゴルフクラブヘッド。
【請求項３】
第二板体（２２）は高い振動吸収の能力を有する板体からなることを特徴とする請求項１記載の複合式のフェース板を有するゴルフクラブヘッド。
【請求項４】
他に結合突出部（２２３）が設けられ、結合突出部（２２３）は第二板体（２２）の第二結合面（２２１）に形成され、そして第二板体（２２）の結合突出部（２２３）は第一板体（２１）の第一結合面（２１２）を結合するのに用いられることを特徴とする請求項１記載の複合式のフェース板を有するゴルフクラブヘッド。
【請求項５】
第二板体（２２）の結合突出部（２２３）と第一板体（２１）の第一結合面（２１２）との間には硬ろう付け層、爆発溶接層、ロール押圧層または粘着層が形成されることを特徴とする請求項４記載の複合式のフェース板を有するゴルフクラブヘッド。
【請求項６】
結合突出部（２２３）は実質的に垂直の突出リブ状、斜めの突出リブ状または鋸の歯状の幾何形状からなることを特徴とする請求項４記載の複合式のフェース板を有するゴルフクラブヘッド。
【請求項７】
結合突出部（２２３）は実質的に連続の折り曲げ状からなり、上記連続の折り曲げ状は波浪状、矩形状または鋸の歯状からなることを特徴とする請求項４記載の複合式のフェース板を有するゴルフクラブヘッド。
【請求項８】
第一板体（２１）の第一結合面（２１２）には結合突出部（２１６）が形成されることを特徴とする請求項４記載の複合式のフェース板を有するゴルフクラブヘッド。
【請求項９】
第一板体（２１）の結合突出部（２１６）は等間隔で延伸するように形成され、そして結合突出部（２１６）は突出の塊状または突出のリブ状からなり、第二板体（２２）の結合突出部（２２３）は等間隔で延伸するように形成され、そして結合突出部（２２３）は突出の塊状または突出のリブ状からなることを特徴とする請求項８記載の複合式のフェース板を有するゴルフクラブヘッド。
【請求項１０】
第一板体（２１）の結合突出部（２１６）と第二板体（２２）の結合突出部（２２３）は互いに交錯して深入りするように、さらにそれぞれ第二板体（２２）の第二結合面（２２１）と第一板体（２１）の第一結合面（２１２）に当接して結合するように形成されることを特徴とする請求項８記載の複合式のフェース板を有するゴルフクラブヘッド。
【請求項１１】
第一板体（２１）の結合突出部（２１６）と第二板体（２２）の結合突出部（２２３）は互いに対応して当接するように結合されることを特徴とする請求項８記載の複合式のフェース板を有するゴルフクラブヘッド。
【請求項１２】
第一板体（２１）には他に等間隔で複数個の突出部（２１７）が形成され、そして第二板体（２２）には等間隔で複数個の結合突出部（２２３）が形成され、突出部（２１７）の高さは第二板体（２２）の結合突出部（２２３）の高さより小さくなるように形成されることを特徴とする請求項１記載の複合式のフェース板を有するゴルフクラブヘッド。
【請求項１３】
他に第三板体（２４）が設けられ、第三板体（２４）は平板状の板体からなり、そして第三板体（２４）は第二板体（２２）の背面に結合されることを特徴とする請求項１記載の複合式のフェース板を有するゴルフクラブヘッド。
【請求項１４】
第三板体（２４）と第二板体（２２）との間にはもう一個の弾性変形空間（２５）が形成されることを特徴とする請求項１３記載の複合式のフェース板を有するゴルフクラブヘッド。
【請求項１５】
第三板体（２４）は高い弾性変形の能力を有する板体からなることを特徴とする請求項１３記載の複合式のフェース板を有するゴルフクラブヘッド。
【請求項１６】
第三板体（２４）は高い振動吸収の能力を有する板体からなることを特徴とする請求項１３記載の複合式のフェース板を有するゴルフクラブヘッド。
【請求項１７】
ヘッド本体（１）、フェース板（２）、複数個の弾性変形空間（２３）および複数個の結合層が含まれる複合式のフェース板を有するゴルフクラブヘッドであって、フェース板（２）は対応するようにヘッド本体（１）に結合され、そしてフェース板（２）には第一板体（２１）と第二板体（２２）が形成され、複数個の弾性変形空間（２３）は第一板体（２１）と第二板体（２２）との間に形成され、上記複数個の結合層は第一板体（２１）と第二板体（２２）との間に形成され、上記結合層は複数個の弾性変形空間（２３）を隔てるのに用いられ、ゴルフボールを打球する時、弾性変形空間（２３）により第一板体（２１）と第二板体（２２）の弾性変形を許容することを特徴とする複合式のフェース板を有するゴルフクラブヘッド。
【請求項１８】
上記結合層は硬ろう付け層、爆発溶接層、ロール押圧層または粘着層からなることを特徴とする請求項１７記載の複合式のフェース板を有するゴルフクラブヘッド。
【請求項１９】
他に第三板体（２４）が設けられ、第三板体（２４）は平板状の板体からなり、そして第三板体（２４）は第二板体（２２）の背面に結合されることを特徴とする請求項１７記載の複合式のフェース板を有するゴルフクラブヘッド。
【請求項２０】
第三板体（２４）と第二板体（２２）との間には他に複数個の弾性変形空間（２５）が形成されることを特徴とする請求項１９記載の複合式のフェース板を有するゴルフクラブヘッド。
【請求項２１】
第三板体（２４）は高い弾性変形の能力を有する板体からなることを特徴とする請求項１９記載の複合式のフェース板を有するゴルフクラブヘッド。
【請求項２２】
第三板体（２４）は高い振動吸収の能力を有する板体からなることを特徴とする請求項１９記載の複合式のフェース板を有するゴルフクラブヘッド。
【考案の詳細な説明】
【技術分野】
【０００１】
本考案は、複合式のフェース板を有するゴルフクラブヘッドに関するもので、特に第一板体と第二板体を共同でフェース板を組成することにより、そして第一板体と第二板体との間に弾性変形空間を形成することにより、打球の安定性を高めることができる複合式のフェース板を有するゴルフクラブヘッドに係るものである。
【背景技術】
【０００２】
従来の複合式のフェース板を有するゴルフクラブヘッドとしては、中華民国公告番号第５５０１０６号においては、下記の段階が含まれる。１）異種金属の材質の第一板材と第二板材を爆発溶接により一個の合成板材に形成し、それから上記合成板材を殻片状の第一部材に成形し、上記第一部材の形状はヘッドの正面のフェース板に対応するように形成され、そして上記第一板材は相対的に上記第一部材における上記ヘッドの表面に近い一方に位置するように形成される。２）上記合成板材が上記第一部材に成形される時、上記第二部材の中央部位を除去して上記第二部材の周縁の部位のみを残すことにより、第二部材が溶接して結合するのに提供することができる。３）他に第二部材を準備し、上記第二部材の形状は上記ヘッドの主体部分に対応するように形成され、そして上記第一部材と互いに配合することができ、上記第二部材の材質は上記第二板材とは同じで、上記第一部材を上記第二部材に近寄せ、さらに上記第二板材の周縁を上記第二部材に当接させ、それから上記第二部材と上記第一部材の第二板材を溶接して結合することにより、ゴルフクラブヘッドを接合することができるようにとしたものがある（例えば、特許文献１を参照）。
【特許文献１】中華民国公告番号第５５０１０６号
【考案の開示】
【考案が解決しようとする課題】
【０００３】
上記のような従来の複合式のフェース板を有するゴルフクラブヘッドにおいては、実際に打球すると、上記複合式のフェース板を有するゴルフクラブヘッドの第一部材の第一板材の中央部位（すなわち、スイートスポットsweet spot）は比較的大きい打球の応力と衝撃力を受け、しかし上記第一板材の中央部位の背面は上記第二板材を有せず、そして上記第一板材の中央部位の背面は実質的に上記第一板材そのものの肉厚とは等しいため、上記第一板材の中央部位では充分な構造の強度を提供することができず、そのために長期的に使用すると、上記第一板材には変形または破裂が生じたりする虞があり、さらに打球の振動を有効に吸収することができないため、使用寿命も相対的に短くなるという問題点があった。また、上記第一板材は背面の周縁からしか上記第二板材と結合することができず、両者の間の結合の面積は極めて限られているため、上記第一板材が脱落してしまうという問題点があった。このように、上記のような従来の複合式のフェース板を有するゴルフクラブヘッドをさらに改良しなければならない。
【０００４】
本考案はこのような問題点に鑑みて考案したものであって、その目的とするところは、第一板体と第二板体を共同でフェース板を組成し、上記第一板体と第二板体との間に弾性変形空間を形成し、そして選択的に第一板体と第二板体の少なくとも一個の板体に複数個の結合突出部を形成することにより、フェース板の振動吸収の能力と構造の強度を高めることができる。また、上記第一板体と第二板体は他に第三板体と結合することができ、さらに上記第一板体、第二板体と第三板体は選択的に高い弾性変形の能力を有する材質または高い振動吸収の能力を有する材質からなることができるため、確実に打球の安定性を有効に高めることができる複合式のフェース板を有するゴルフクラブヘッドを提供しようとするものである。
【０００５】
本考案の第一の目的は、第一板体と第二板体を共同でフェース板を組成し、上記第一板体と第二板体との間に弾性変形空間を形成することにより、フェース板の弾性変形の自由度を増やすことができるため、打球の安定性を高めることができる複合式のフェース板を有するゴルフクラブヘッドを提供しようとするものである。
【０００６】
本考案の第二の目的は、第一板体と第二板体の少なくとも一個の板体に複数個の結合突出部を形成し、上記結合突出部は上記第一板体と第二板体との間に相対して弾性変形空間を形成することにより、フェース板の弾性変形の自由度を増やすことができるため、打球の安定性を高めることができる複合式のフェース板を有するゴルフクラブヘッドを提供しようとするものである。
【０００７】
本考案の第三の目的は、第一板体、第二板体と第三板体は共同でフェース板を組成し、上記第一板体と第二板体との間に弾性変形空間を形成し、さらに第二板体と第三板体との間にも他の弾性変形空間を形成することにより、打球の安定性を高めることができる複合式のフェース板を有するゴルフクラブヘッドを提供しようとするものである。
【課題を解決するための手段】
【０００８】
上記目的を達成するために、本考案による複合式のフェース板を有するゴルフクラブヘッドは、下記のようになるものである。すなわち、
ヘッド本体、第一板体、第二板体および少なくとも一個の弾性変形空間が含まれる。第一板体の一方にはフェースが形成され、そして第一板体のもう一方には第一結合面が形成され、フェースはゴルフボールを打球するのに用いられる。第二板体の一方には第二結合面が形成され、第二板体のもう一方には背面が形成される。第二板体の第二結合面は第一板体の第一結合面に対応するように結合することによって共同でフェース板を形成する。少なくとも一個の弾性変形空間は第一板体の第一結合面と第二板体の第二結合面との間に形成される。フェース板はヘッド本体に対応するように結合され、そして打球時において弾性変形空間により弾性変形を生じることができる。
【０００９】
本考案による複合式のフェース板を有するゴルフクラブヘッドは、第一板体は高い弾性変形の能力を有する板体からなることもできる。また、第二板体は高い振動吸収の能力を有する板体からなることもできる。また、他に結合突出部が設けられ、結合突出部は第二板体の第二結合面に形成され、そして第二板体の結合突出部は第一板体の第一結合面を結合するのに用いられることもできる。また、第二板体の結合突出部と第一板体の第一結合面との間には硬ろう付け層、爆発溶接層、ロール押圧層または粘着層が形成されることもできる。また、結合突出部は実質的に垂直の突出リブ状、斜めの突出リブ状または鋸の歯状の幾何形状からなることもできる。また、結合突出部は実質的に連続の折り曲げ状からなり、上記連続の折り曲げ状は波浪状、矩形状または鋸の歯状からなることもできる。また、第一板体の第一結合面には結合突出部が形成されることもできる。また、第一板体の結合突出部は等間隔で延伸するように形成され、そして結合突出部は突出の塊状または突出のリブ状からなり、第二板体の結合突出部は等間隔で延伸するように形成され、そして結合突出部は突出の塊状または突出のリブ状からなることもできる。また、第一板体の結合突出部と第二板体の結合突出部は互いに交錯して深入りするように、さらにそれぞれ第二板体の第二結合面と第一板体の第一結合面に当接して結合するように形成されることもできる。また、第一板体の結合突出部と第二板体の結合突出部は互いに対応して当接するように結合されることもできる。また、第一板体には他に等間隔で複数個の突出部が形成され、そして第二板体には等間隔で複数個の結合突出部が形成され、突出部の高さは第二板体の結合突出部の高さより小さくなるように形成されることもできる。また、他に第三板体が設けられ、第三板体は平板状の板体からなり、そして第三板体は第二板体の背面に結合されることもできる。また、第三板体と第二板体との間にはもう一個の弾性変形空間が形成されることもできる。また、第三板体は高い弾性変形の能力を有する板体からなることもできる。また、第三板体は高い振動吸収の能力を有する板体からなることもできる。
【００１０】
また、本考案による複合式のフェース板を有するゴルフクラブヘッドは、ヘッド本体、フェース板、複数個の弾性変形空間および複数個の結合層が含まれる。フェース板は対応するようにヘッド本体に結合され、そしてフェース板には第一板体と第二板体が形成される。複数個の弾性変形空間は第一板体と第二板体との間に形成される。複数個の結合層は第一板体と第二板体との間に形成され、結合層は複数個の弾性変形空間を隔てるのに用いられる。ゴルフボールを打球する時、弾性変形空間により第一板体と第二板体の弾性変形を許容することもできる。
【００１１】
さらに、本考案による複合式のフェース板を有するゴルフクラブヘッドは、結合層は硬ろう付け層、爆発溶接層、ロール押圧層または粘着層からなることもできる。また、他に第三板体が設けられ、第三板体は平板状の板体からなり、そして第三板体は第二板体の背面に結合されることもできる。また、第三板体と第二板体との間には他に複数個の弾性変形空間が形成されることもできる。また、第三板体は高い弾性変形の能力を有する板体からなることもできる。また、第三板体は高い振動吸収の能力を有する板体からなることもできる。
【考案の効果】
【００１２】
本考案の複合式のフェース板を有するゴルフクラブヘッドによれば、第一板体と第二板体を共同でフェース板を組成し、上記第一板体と第二板体との間に弾性変形空間を形成することにより、フェース板の弾性変形の自由度を増やすことができるため、打球の安定性を高めることができるという利点がある。
【００１３】
本考案の複合式のフェース板を有するゴルフクラブヘッドによれば、第一板体と第二板体の少なくとも一個の板体に複数個の結合突出部を形成し、上記結合突出部は上記第一板体と第二板体との間に相対して弾性変形空間を形成することにより、フェース板の弾性変形の自由度を増やすことができるため、打球の安定性を高めることができるという利点がある。
【００１４】
本考案の複合式のフェース板を有するゴルフクラブヘッドによれば、第一板体、第二板体と第三板体は共同でフェース板を組成し、上記第一板体と第二板体との間に弾性変形空間を形成し、さらに第二板体と第三板体との間にも他の弾性変形空間を形成することにより、打球の安定性を高めることができるという利点がある。
【考案を実施するための最良の形態】
【００１５】
本考案の実施の形態について、以下、図面を参照して説明する。
【実施例１】
【００１６】
図１Ａ、１Ｂ、２を参照すると、本考案の実施例１の複合式のフェース板を有するゴルフクラブヘッドは選択的にウッド型、アイアン型またはパター型などの従来のヘッドの構造からなる。図１Ａと１Ｂに示すように、本考案の実施例１の複合式のフェース板を有するゴルフクラブヘッドにはヘッド本体１とフェース板２（複合式の板体）が含まれる。ヘッド本体１には開口１０と当接端１１が設けられる。開口１０はヘッド本体１の正面に設けられる。当接端１１は開口１０の環状縁端に設けられることにより、フェース板２と対応するように結合することができる。
【００１７】
再び図１Ａ、１Ｂ、２を参照すると、本考案の実施例１の複合式の板体を有するフェース板２は第一板体２１と第二板体２２により共同で組成する。そして第一板体２１と第二板体２２との間には少なくとも一個の弾性変形空間２３が形成される。
【００１８】
再び図１Ａ、１Ｂを参照すると、本考案の実施例１の第一板体２１にはフェース２１１と第一結合面２１２が形成される。フェース２１１は第一板体２１の正面に形成され、そして第一結合面２１２は第一板体２１のもう一方の面に形成される。
【００１９】
再び図１Ａを参照すると、折り曲げ部２１３は選択的に第一板体２１の外周のリップ縁から後方へ折り曲げるように形成されることにより、第二板体２２の外周を被覆する。そして当接端２１４は折り曲げ部２１３の端縁に形成されることにより、ヘッド本体１の当接端１１と結合して共同でゴルフクラブヘッドを形成する。図１Ａはアイアン型のヘッドを例に挙げるが、ウッド型のヘッドの結合に適用することができる。
【００２０】
他に、再び図１Ｂを参照すると、当接肩部２１５は選択的に第二板体２２の外へ突出するように形成され、そしてヘッド本体１の当接端１１はさらに第一板体２１の当接肩部２１５のリップ縁（図示せず）と結合するため、共同で結合してゴルフクラブヘッドを形成することができる。図１Ｂはウッド型のヘッドを例に挙げるが、アイアン型のヘッドの結合にも適用することができる。
【００２１】
再び図１Ａ、１Ｂ、２を参照すると、本考案の実施例１の第一板体２１の面積は第二板体２２の面積より大きくなるように形成される。また、第二板体２２はフェース板２の打球のスイートスポット（sweet spot）に対応するように形成される。第一板体２１のフェース２１２を利用してゴルフボールを打球すると、第二板体２２により打球の応力を均一に分散することができるため、フェース板２の構造の強度と使用寿命を相対的に高めることができる。
【００２２】
再び図１Ａを参照すると、本考案の実施例１のヘッド本体１は図１Ａに示すようなアイアン型のヘッドを選択する場合、ヘッド本体１の材質は炭素鋼、ステンレス鋼（例えば、１７‐４ＰＨステンレス鋼）、合金鋼、フェロ−マンガン−アルミ合金、ニッケル合金、鋳鉄、超合金鋼、チタン合金、銅合金、アルミ合金または炭素繊維などの金属または非金属の材質から選択することができる。
【００２３】
再び図１Ａ、１Ｂ、２を参照すると、本考案の実施例１の第一板体２１は高い弾性変形の能力を有する材質から選択することができ、例えばステンレス鋼、低炭素鋼、合金鋼、フェロ−マンガン−アルミ合金、チタン合金、銅合金またはアルミ合金などの金属の材質から選択することができる。
【００２４】
再び図１Ａ、１Ｂ、２を参照すると、本考案の実施例１の第二板体２２は高い振動吸収の能力を有する材質から選択することができ、例えば炭素鋼、低炭素鋼、ステンレス鋼（例えば、１７‐４ＰＨステンレス鋼）、合金鋼、ニッケル合金、鋳鉄、チタン合金、銅合金、アルミ合金、超合金鋼または炭素繊維などの金属または非金属の材質から選択することができる。
【００２５】
再び図２を参照すると、本考案の実施例１の第一板体２１は平板状の板体からなり、そして第二板体２２には第二結合面２２１、背面２２２と複数個の結合突出部２２３が形成される。第二板体２２の第二結合面２２１は第一板体２１の第一結合面２１２に対応するように結合される。その他に、第二板体２２の材質は好ましくは第一板体２１と異なる材質から選択する。
【００２６】
再び図２を参照すると、本考案の実施例１の第二板体２２は第二結合面２２１において等間隔で複数個の結合突出部２２３が設けられる。結合突出部２２３は垂直の突出リブ状に形成され、即ち結合突出部２２３は第二板体２２の第二結合面２２１に垂直になるように形成され、そして結合突出部２２３は第一板体２１の第一結合面２１２に当接するように形成される。これにより、第二板体２２の第二結合部２２３により打球の応力を均一に分散することができるため、結合の強度と振動吸収の能力を有効に高めることができる。
【００２７】
再び図２を参照すると、弾性変形空間２３は第一板体２１、第二板体２２と各結合突出部２２３との間に形成される。弾性変形空間２３の緩衝作用により弾性変形の自由度を有効に増やすことができる。これにより、打球時において弾性変形空間２３により第一板体２１が第二板体２２に相対して応力で生じる変形の自由度を有効に増やすことができる。さらに詳しく言えば、弾性変形空間２３は第一板体２１が結合突出部２２３に対応して後方への弾性変形を提供することができるため、フェース板２の弾性変形の自由度を有効に高めることができる。
【００２８】
再び図２を参照すると、本考案の実施例１の複合式のフェース板を有するゴルフクラブヘッドを組み立てる時、先ず第二板体２２を第一板体２１の中央位置に対応するように結合する。第一板体２１と第二板体２２は好ましくは選択的に硬ろう付け、爆発溶接、ロール押圧または粘着などの方式を利用して相互に結合する。硬ろう付け、爆発溶接またはロール押圧による結合の方式を選択する場合、第一板体２１の第一結合面２１２と第二板体２２の結合突出部２２３との間には結合層が形成され、上記結合層は硬ろう付け層、爆発溶接層、ロール押圧層または粘着層からなる。また、粘着による結合の方式を選択する場合、第一板体２１の第一結合面２１２と第二板体２２の結合突出部２２３との間の結合層には粘着剤を利用した粘着層が形成される。
【実施例２】
【００２９】
図３を参照すると、本考案の実施例２の複合式のフェース板を有するゴルフクラブヘッドが掲示される。実施例１と比較してみると、実施例２における第二板体２２の結合突出部２２３は実質的に斜めの突出リブ状に形成され、すなわち上記斜めの突出リブ状の結合突出部２２３は第二板体２２の第二結合面２２１に相対して傾斜の角度を有するように形成される。
【実施例３】
【００３０】
図４を参照すると、本考案の実施例３の複合式のフェース板を有するゴルフクラブヘッドが掲示される。実施例１、２と比較してみると、実施例３における第二板体２２の結合突出部２２３は実質的に垂直の突出リブと円弧状の突出リブとの組み合わせからなるように形成される。
【実施例４】
【００３１】
図５を参照すると、本考案の実施例４の複合式のフェース板を有するゴルフクラブヘッドが掲示される。実施例１ないし３と比較してみると、実施例４における第二板体２２の結合突出部２２３は第二板体２２の第二結合面２２１において鋸の歯状を有する変化に形成される。
【実施例５】
【００３２】
図６を参照すると、本考案の実施例５の複合式のフェース板を有するゴルフクラブヘッドが掲示される。実施例１ないし４と比較してみると、実施例５における第二板体２２の第二結合面２２１は連続の矩形波浪状の変化に形成され、第二結合面２２１の矩形の波浪を形成する表面と第一板体２１の第一結合面２１２は互いに当接して結合するように形成される。これにより、第一板体２１と第二板体２２との間の組立の信頼性を相対的に高めることができると共に、弾性変形の自由度を増やし、振動吸収の能力を増やすことができる。上述の如く、結合突出部２２３は矩形の連続の折り曲げによる変化を有するため、打球時に生じる打球の応力を有効に分散することができ、さらに打球の安定性を高めることができる。
【実施例６】
【００３３】
図７を参照すると、本考案の実施例６の複合式のフェース板を有するゴルフクラブヘッドが掲示される。実施例１ないし５と比較してみると、実施例６において第二板体２２には結合突出部２２３が形成されるだけではなく、第一板体２１の第一結合面２１２においても等間隔で複数個の結合突出部２１６が形成され、さらに第一板体２１の結合突出部２１６と第二板体２２の結合突出部２２３は選択的に垂直の突出リブ状に形成される。
【００３４】
再び図７を参照すると、本考案の実施例６の第一板体２１の結合突出部２１６と第二板体２２の結合突出部２２３は互いに交錯して深入りするように、さらにそれぞれ第二結合面２２１と第一結合面２１２に当接して結合するように形成される。第一板体２１と第二板体２２が互いに対応するように結合されると、共同でフェース板２を形成し、そして第一板体２１、第二板体２２と結合突出部２１６、２２３との間には弾性変形空間２３が形成されるため、構造の強度を高め、弾性変形の能力を高め、さらに振動吸収の能力を高めることができる。
【実施例７】
【００３５】
図８を参照すると、本考案の実施例７の複合式のフェース板を有するゴルフクラブヘッドが掲示される。実施例１ないし６と比較してみると、実施例７において第一板体２１の結合突出部２１６と第二板体２２の結合突出部２２３は突出の塊状からなる。第一板体２１と第二板体２２が互いに対応するように結合されると、上記突出の塊状の結合突出部２１６、２２３の端部（図示せず）は互いに対応するように当接されるため、共同でフェース板２を形成することができる。また、第一板体２１と第二板体２２が互いに結合されると、弾性変形空間２３は第一板体２１と第二板体２２との間に形成される。これにより、構造の強度を相対的に増やし、フェース板２の弾性変形の能力と振動吸収の能力を高めることができる。
【実施例８】
【００３６】
図９を参照すると、本考案の実施例８の複合式のフェース板を有するゴルフクラブヘッドが掲示される。実施例１ないし７と比較してみると、実施例８における第一板体２１には他に等間隔で複数個の突出部２１７が形成され、突出部２１７の高さは第二板体２２の結合突出部２２３の高さより小さくなるように形成されるため、第一板体２１の突出部２１７と第二板体２２の結合突出部２２３が相互に交錯して結合されると、第一板体２１の突出部２１７はただ第二板体２２の弾性変形空間２３に深入りするだけで、突出部２１７は第二板体２２の第二結合面２２１を当接して結合していないため、ゴルフボールを打球する時、フェース板２の振動吸収の能力を増やすことができるだけではなく、同時に弾性の自由度を増やすことができる。
【実施例９】
【００３７】
図１０を参照すると、本考案の実施例９の複合式のフェース板を有するゴルフクラブヘッドが掲示される。実施例１ないし８と比較してみると、実施例９においては他に第三板体２４が設けられ、そして第二板体２２は第一板体２１と第三板体２４との間に介在するように形成される。その他に、第二板体２２は連続の折り曲げの板体に形成され、上記折り曲げの形状は波浪状、矩形状または鋸の歯状などのいかなる幾何形状からなることができ、そして実施例９においては第二板体２２は連続の波浪状の板体を例に挙げる。第二板体２２の第二結合面２２１は第一板体２１を結合し、そして第一板体２１と第二板体２２との間には弾性変形空間２３が形成される。第三板体２４は第二板体２２の背面に結合され、そして第二板体２２と第三板体２４との間には他にもう一個の弾性変形空間２５が形成される。また、第三板体２４は高い弾性変形の能力を有する材質（例えば、ステンレス鋼、炭素鋼、合金鋼、フェロ−マンガン−アルミ合金、チタン合金、銅合金またはアルミ合金などの金属の材質）から選択することができ、または高い振動吸収の能力を有する材質〔例えば炭素鋼、低炭素鋼、ステンレス鋼（例えば、１７‐４ＰＨステンレス鋼）、合金鋼、ニッケル合金、鋳鉄、チタン合金、銅合金、アルミ合金、超合金鋼または炭素繊維などの金属または非金属の材質〕から選択することができるため、フェース板２の弾性変形の能力または振動吸収の能力を増やすことができる。
【００３８】
再び図３ないし１０を参照すると、本考案の実施例２ないし８における第一板体２１と第二板体２２、および実施例９における第一板体２１、第二板体２２と第三板体２３による結合の方式と材質の選択は実施例１と同じため、ここでは再び叙述しない。
【産業上の利用可能性】
【００３９】
上述の如く、従来の複合式のフェース板を有するゴルフクラブヘッドによれば、第一板材の背面の周縁の部位に第二板材が結合されるため、フェース板の弾性変形の能力が低くなるなどの問題点があったが、本考案の複合式のフェース板を有するゴルフクラブヘッドによれば、第一板体２１と第二板体２２は共同でフェース板２を組成し、そして第一板体２１と第二板体２２との間には弾性変形空間２３が形成されるため、弾性変形の自由度を増やし、さらに全体の打球の安定性を高めることができる。また、第二板体２２の背面に他に第三板体２４を設けることにより、第一板体２１、第二板体２２と第三板体２４は共同で結合してフェース板２を形成することができる。その他に、第三板体２４は高い弾性変形の能力または高い振動吸収の能力を有する材質から選択することができるため、確実にフェース板２の構造の強度を相対的に増やし、全体の振動吸収の能力と弾性変形の能力を高め、さらに使用寿命を延ばすことができる。
【００４０】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００４１】
【図１Ａ】本考案の実施例１の複合式のフェース板を有するゴルフクラブヘッドがアイアン型のヘッドに組み立てられた状態を示す断面図である。
【図１Ｂ】本考案の実施例１の複合式のフェース板を有するゴルフクラブヘッドがウッド型のヘッドに組み立てられた状態を示す断面図である。
【図２】本考案の実施例１の複合式のフェース板を有するゴルフクラブヘッドによる第一板体と第二板体との局部の断面図である。
【図３】本考案の実施例２の複合式のフェース板を有するゴルフクラブヘッドによる第一板体と第二板体との局部の断面図である。
【図４】本考案の実施例３の複合式のフェース板を有するゴルフクラブヘッドによる第一板体と第二板体との局部の断面図である。
【図５】本考案の実施例４の複合式のフェース板を有するゴルフクラブヘッドによる第一板体と第二板体との局部の断面図である。
【図６】本考案の実施例５の複合式のフェース板を有するゴルフクラブヘッドによる第一板体と第二板体との局部の断面図である。
【図７】本考案の実施例６の複合式のフェース板を有するゴルフクラブヘッドによる第一板体と第二板体との局部の断面図である。
【図８】本考案の実施例７の複合式のフェース板を有するゴルフクラブヘッドによる第一板体と第二板体との局部の断面図である。
【図９】本考案の実施例８の複合式のフェース板を有するゴルフクラブヘッドによる第一板体と第二板体との局部の断面図である。
【図１０】本考案の実施例９の複合式のフェース板を有するゴルフクラブヘッドによる第一板体、第二板体と第三板体との局部の断面図である。
【符号の説明】
【００４２】
１    ヘッド本体                    １０    開口
１１    当接端                          ２    フェース板
２１    第一板体                    ２１１    フェース
２１２    第一結合面                  ２１３    折り曲げ部
２１４    当接端                      ２１５    当接肩部
２１６    結合突出部                  ２１７    突出部
２２    第二板体                    ２２１    第二結合面
２２２    背面                        ２２３    結合突出部
２３    弾性変形空間                  ２４    第三板体
２５    弾性変形空間
【図１Ａ】
0003127220.tif 000003
【図１Ｂ】
0003127220.tif 000004
【図２】
0003127220.tif 000005
【図３】
0003127220.tif 000006
【図４】
0003127220.tif 000007
【図５】
0003127220.tif 000008
【図６】
0003127220.tif 000009
【図７】
0003127220.tif 000010
【図８】
0003127220.tif 000011
【図９】
0003127220.tif 000012
【図１０】
0003127220.tif 000013